(57)【要約】【課題】無線モジュールを備えた照明器具を提供する。【解決手段】照明器具10は、プラグ部12、電源部13、灯体14、アーム15、および無線モジュール16を備える。プラグ部12は、配線ダクト11に接続される。電源部13は、プラグ部12の下側に設けられる。灯体14は、電源部13の下方に設けられる。アーム15は、灯体14を電源部13に対して回動可能に支持する。無線モジュール16は、灯体14よりも上側に設けられる。【選択図】図１
2017084597.tif 000002
【特許請求の範囲】
【請求項１】
配線ダクトに接続されるプラグ部と；
前記プラグ部の下側に設けられる電源部と；
前記電源部の下方に設けられる灯体と；
前記灯体を前記電源部に対して回動可能に支持するアームと；
前記灯体よりも上側に設けられた無線モジュールと；
を具備することを特徴とする照明器具。
【請求項２】
前記プラグ部、前記電源部、および光軸を直下方向に向けた前記灯体は、器具中心軸を中心として同心円状に設けられている
ことを特徴とする請求項１記載の照明器具。
【請求項３】
前記灯体の光軸が前記器具中心軸に対して交差する向きとする状態で、前記アームによる前記灯体の回動可能範囲を、前記器具中心軸に沿った方向から見て前記灯体と前記無線モジュールとが重ならない範囲に規制する回動規制部を具備する
ことを特徴とする請求項２記載の照明器具。
【発明の詳細な説明】
【技術分野】
【０００１】
本発明の実施形態は、配線ダクトに接続される照明器具に関する。
【背景技術】
【０００２】
従来、天井や上方空間に設置される配線ダクトの任意の位置に装着して使用するスポットライトなどの照明器具がある。この照明器具は、配線ダクトに接続されるプラグ部を設けた電源部が配線ダクトに沿って横方向に長い四角形箱状に設けられ、この電源部の長手方向の一端にアームが設けられ、このアームによって灯体が回動可能に支持されている構造が多い。
【０００３】
また、このような照明器具において、無線で器具制御を可能とする無線モジュールを設けるには、無線モジュールに与える熱影響などから、無線モジュールを設ける位置を考慮しなければならない。
【先行技術文献】
【特許文献】
【０００４】
【特許文献１】特開２０１３−２６１３５号公報
【発明の概要】
【発明が解決しようとする課題】
【０００５】
本発明が解決しようとする課題は、無線モジュールを備えた照明器具を提供することである。
【課題を解決するための手段】
【０００６】
実施形態の照明器具は、プラグ部、電源部、灯体、アーム、および無線モジュールを備える。プラグ部は、配線ダクトに接続される。電源部は、プラグ部の下側に設けられる。灯体は、電源部の下方に設けられる。アームは、灯体を電源部に対して回動可能に支持する。無線モジュールは、灯体よりも上側に設けられる。
【発明の効果】
【０００７】
本発明によれば、無線モジュールを備えた照明器具を提供することが期待できる。
【図面の簡単な説明】
【０００８】
【図１】第１の実施形態を示す照明器具の側面図である。
【図２】同上照明器具の斜視図である。
【図３】同上照明器具の断面図である。
【図４】同上照明器具の灯体の一方向への回動範囲を説明する一部を省略した平面図である。
【図５】同上照明器具の灯体の他方向への回動範囲を説明する一部を省略した平面図である。
【図６】第２の実施形態を示す照明器具の側面図である。
【図７】第３の実施形態を示す照明器具のプラグ部および電源部の断面図である。
【発明を実施するための形態】
【０００９】
以下、第１の実施形態を、図１ないし図５を参照して説明する。
【００１０】
図１および図２に示すように、照明器具10は、例えば展示物や商品などの照明に用いられるスポットライトである。照明器具10は、天井側に設置される配線ダクト11の任意の場所に取り付けられるとともに電気的に接続されるように構成されている。配線ダクト11は、下面に開口する溝を有する断面コ字形で、溝内の両側に電源を供給する一対の導体が配設されている。
【００１１】
照明器具10は、プラグ部12、電源部13、灯体14、アーム15および無線モジュール16などを備えている。そして、図１に示すように、器具中心軸17を中心として、プラグ部12、電源部13および灯体14が同心円状に配列されるように構成されている。なお、図１では、灯体14の光軸18が器具中心軸17に一致するように直下方向に向けられている。
【００１２】
また、プラグ部12は、器具中心軸17を中心として円筒状に形成されており、絶縁性を有する樹脂製のプラグケース20、およびこのプラグケース20の上端に設けられた一対の端子21を備えている。プラグケース20は、台部22、この台部22の上端から突出された挿入部23、およびこの挿入部23の周面から突設された一対の取付部24を備えている。一対の端子21は、挿入部23に設けられている。そして、プラグ部12の挿入部23が配線ダクト11の溝に挿入され、プラグ部12が器具中心軸17を中心として回動されることによって、取付部24が配線ダクト11に着脱可能に取り付けられるとともに、一対の端子21が配線ダクト11の一対の導体に電気的に接続される。
【００１３】
また、電源部13は、器具中心軸17を中心として円筒状で、径方向の寸法よりも器具中心軸17に沿った方向の寸法が長く形成されている。
【００１４】
図３に示すように、電源部13は、円筒状の外筒30、この外筒30の内部に配設された円筒状の内筒31、およびこの内筒31の内部に配設された電源回路32を有している。
【００１５】
外筒30は、金属製であり、底面部33および周面部34を有し、上面が開口されている。底面部33には、アーム15が取り付けられる取付孔35が形成されているとともに、無線モジュール16が配置される開口部36が形成されている。底面部33の下面には、この底面部33の下面を覆う樹脂製の下面カバー37が取り付けられている。外筒30の上面には金属製の上面カバー38が取り付けられ、この上面カバー38の中央にプラグ部12が挿通される挿通孔38aが形成されている。
【００１６】
内筒31は、絶縁性を有する樹脂製であり、底面部39および周面部40を有し、上面が開口されている。底面部39には、外筒30の取付孔35に対向して配線孔41が形成されている。さらに、底面部39には、無線モジュール16を配置する配置部42が形成されている。配置部42は、底面部39よりも下方に突出して外筒30の開口部36に配置されるとともに内筒31の内部に連通する収容溝43が設けられており、この収容溝43に無線モジュール16が配置される。周面部40の内面には、２組の基板保持部44が器具中心軸17に沿った縦方向に沿って設けられているとともに、これら基板保持部44間に仕切板45が設けられている。内筒31の上面にはプラグ固定カバー46が取り付けられ、このプラグ固定カバー46にプラグ部12が固定されている。
【００１７】
電源回路32は、一対の回路基板47、およびこの回路基板47にそれぞれ実装された複数の電子部品48を備えている。一対の回路基板47は、内筒31の基板保持部44にそれぞれ保持されて、内筒31の内部に器具中心軸17に沿った縦方向に沿って収容されている。これら一対の回路基板47間に仕切板45が介在されている。
【００１８】
電源回路32は、プラグ部12の一対の端子21と電気的に接続されており、一対の端子21から交流電源を入力し、所定の直流電源に変換して灯体14側に供給する。また、電源回路32は、制御部を有しており、この制御部によって、無線モジュール16からの制御信号に応じて灯体14側に供給する直流電源の出力を変更し、すなわち、灯体14の光源をオン、オフしたり、光源の明るさを変更したりする。
【００１９】
また、灯体14は、筐体50、光源51、反射体52およびレンズ53などを備えている。
【００２０】
筐体50は、金属製で、円筒状に形成されている。筐体50（灯体14）と電源部13とは同じ外径寸法に形成されている。筐体50の前面側に凹部54が形成されているとともに照射開口55が形成され、筐体50の後部側に複数の放熱フィン56が設けられている。１つの放熱フィン56にはアーム15を回動可能に取り付けるアーム取付部材57がねじ止めされている。
【００２１】
光源51は、照射開口55に対向して筐体50の凹部54の奥側面に配設されている。光源51は、発光モジュール58によって構成されている。発光モジュール58は、基板59、およびこの基板59に実装された複数の発光素子60を備えている。例えば、発光モジュール58には、基板59に実装された複数の発光素子60としてのＬＥＤを蛍光体層で封止して発光面61を構成したＣＯＢモジュールが用いられている。
【００２２】
反射体52は、筐体50の凹部54に配置され、筐体50にねじ止めされている。反射体52は、光源51の基板59を筐体50に押し付け、レンズ53を保持する。そして、反射体52は、光源51が発する光を照射開口55へ向けて反射させる。
【００２３】
レンズ53は、例えばフレネルレンズによって構成されている。
【００２４】
また、図３ないし図６に示すように、アーム15は、絶縁性を有する樹脂製で、アーム部70、およびこのアーム部70の上端に設けられた回動部71を有している。なお、図４および図５は上方から見た断面図であるが、内枠31を省略している。
【００２５】
アーム部70は、板状に形成され、その下端が灯体14に固定されたアーム取付部材57に回動可能に取り付けられている。これにより、灯体14の光軸18の上下方向の向きを調整可能としている。
【００２６】
回動部71は、円筒部72、およびこの円筒部72の下端外周に突設されるフランジ部73を有している。円筒部72が電源部13の外筒30の取付孔35に挿入され、フランジ部73が外筒30の底面部33に当接され、底面部33の上側で円筒部72に固定リング74が固定されている。フランジ部73と固定リング74との間で底面部33を挟み込み、回動部71が底面部33に回動可能に取り付けられている。円筒部72の周面には突起75が突設され、固定リング74に突起75が嵌合する嵌合溝76が形成されている。これら突起75と嵌合溝76との嵌合により、回動部71と固定リング74とが回り止めされるとともに、回動部71と固定リング74との回動方向の位置が位置決めされる。
【００２７】
固定リング74の外周部にはストッパ77が突設されている。外筒30の底面部33の上面であって取付孔35の周囲には、固定リング74が嵌り込む窪み部78が形成されている。窪み部78の周囲には、ストッパ77が回動する溝部79が設けられているとともに、ストッパ77が当接して回動を規制する当接部80，81が設けられている。そして、ストッパ77および当接部80，81によって、アーム15による灯体14の回動可能範囲を、器具中心軸17に沿った方向から見て灯体14と無線モジュール16とが重ならない範囲に規制する回動規制部82が構成されている。
【００２８】
回動部71の中心には、電源回路32と光源51とを電気的に接続するための配線を通す配線孔83が形成されている。
【００２９】
また、無線モジュール16は、例えばリモコンから無線媒体である電波によって送信されてくる制御信号を受信し、受信した制御信号を電源回路32に送る。無線モジュール16は、金属製の外筒30の底面部33に設けられた開口部36に配置され、さらに、その開口部36は樹脂製の下面カバー37で覆われているため、電波によって送信されてくる制御信号を良好に受信できる。リモコンから送信する制御信号、および無線モジュール16が受信する制御信号は、予め設定された固有の識別情報に関連付けられた制御信号であり、特定のリモコンでのみ特定の照明器具10の制御が可能となっている。
【００３０】
そして、このように構成された照明器具10を設置するには、プラグ部12の挿入部23を配線ダクト11の溝に挿入し、器具中心軸17を中心として回動させることにより、取付部24が配線ダクト11に取り付けられるとともに、一対の端子21が配線ダクト11の一対の導体に電気的に接続され、一対の導体を通じて交流電源が照明器具10に供給可能となる。
【００３１】
図１に示すように、灯体14の光軸18を直下方向に向けることができる。また、図２に示すように、アーム15に対して灯体14を回動させることにより、灯体14の光軸18を直下方向から水平方向までの任意の向きに調整することができる。さらに、電源部13に対してアーム15を回動させることにより、灯体14の光軸18を水平方向の任意の向きに調整することができる。
【００３２】
そして、配線ダクト11から照明器具10に交流電源が供給されると、電源回路32が交流電源を所定の直流電源に変換し、直流電源を光源51に供給する。直流電源が供給された光源51が発光し、光軸18が向く方向に光を照射する。
【００３３】
また、リモコンを操作することにより、リモコンから制御信号が無線によって送信され、その制御信号の無線を無線モジュール16が受信する。無線モジュール16が受信した制御信号が電源回路32に送られ、電源回路32が光源51への直流電源の出力を変更し、光源51の明るさを変更したり、オフしたり、オフ後にオンしたりする。
【００３４】
また、無線モジュール16は、灯体14よりも上側の電源部13に設けられているため、熱的な影響を少なくし、無線の受信性能も確保することができる。
【００３５】
図２に示すように、照明器具10は、灯体14の光軸18を器具中心軸17に対して交差する向きとして使用することが多い。この場合、図４および図５に示すように、光源51の点灯時に灯体14から放熱される熱が無線モジュール16に影響するのを低減するように構成されている。すなわち、図４または図５は電源部13に対して灯体14を最も反時計回り方向または時計回り方向に回動させた状態を示し、灯体14と一体に回動するストッパ77が当接部80または当接部81に当接して灯体14の回動が規制されている。これらいずれの状態でも、灯体14が無線モジュール16に対して上下方向に重ならない。したがって、灯体14は、無線モジュール16に対して上下方向に重ならない範囲内でのみ回動可能としている。これにより、光源51の点灯時に灯体14から放熱される熱が無線モジュール16に影響するのを低減し、無線モジュール16の安定した動作を確保することができる。
【００３６】
図３に示すように、電源部13は延焼防止構造を採用するために電源回路32を金属製の外筒30で覆っている。単に、無線モジュール16を外筒30の内部に配置しただけでは、無線モジュール16による無線の受信性能が確保されなくなる。そこで、外筒30の底板部33に開口部36を設けるとともに樹脂製の下面カバー37で覆い、開口部36内に無線モジュール16を配置することにより、無線モジュール16による無線の受信性能を確保することができる。
【００３７】
そして、本実施形態の照明器具10では、無線モジュール16を備えた照明器具10を提供できる。この無線モジュール16は、灯体14よりも上側の電源部13に設けられているため、熱的な影響を少なくし、無線の受信性能も確保することができる。
【００３８】
また、プラグ部12、電源部13、および光軸18を直下方向に向けた灯体14は、器具中心軸17を中心として同心円状に設けられているため、意匠性を向上させることができる。さらに、電源部13と灯体14とが同一径の円筒形に設けられているため、統一感が得られ、意匠性を向上させることができる。
【００３９】
さらに、灯体14は、無線モジュール16に対して上下方向に重ならない範囲内でのみ回動可能としているため、光源51の点灯時に灯体14から放熱される熱が無線モジュール16に影響するのを低減し、無線モジュール16の安定した動作を確保することができる。
【００４０】
次に、図６に第２の実施形態を示す。なお、第１の実施形態と同じ構成については同じ符号を用い、その構成および作用効果についての説明を省略する。
【００４１】
無線モジュール16をプラグ部12に設ける。具体的には、無線モジュール16を樹脂製のプラグケース20内に設ける。
【００４２】
そして、この場合にも、電源部13に金属製の外筒30を用いていても、それに影響されることなく、無線モジュール16の受信性能を確保することができる。
【００４３】
さらに、無線モジュール16を灯体14や電源部13から遠ざけることができるため、無線モジュール16の熱的な影響を低減でき、無線モジュール16の安定した動作を確保することができる。
【００４４】
次に、図７に第３の実施形態を示す。なお、第１および第２の実施形態と同じ構成については同じ符号を用い、その構成および作用効果についての説明を省略する。
【００４５】
電源部13の外筒30を樹脂製とし、内筒31を金属製とし、延焼防止構造は維持する。
【００４６】
無線モジュール16は、内筒31の外側で、外筒30の底面部33に配置する。無線モジュール16と電源回路32との配線による電気的な接続のために、内筒31の底面部39に配線孔90を設ける。配線孔90は、指が入らない程度の大きさで、例えば最大で１００mm2の断面積の開口とする。
【００４７】
電源部13の下面カバー37は、断熱性に優れた材料で形成された断熱カバーであり、灯体14からの熱が無線モジュール16に影響するのを低減する。
【００４８】
そして、この場合にも、電源部13の内筒31を金属製とした延焼防止構造を適用していても、それに影響されることなく、無線モジュール16の受信性能を確保することができる。
【００４９】
さらに、無線モジュール16を金属製の内筒31の外側に配置するため、無線モジュール16が内筒31の内部に収容されている電源回路32からのノイズの影響を受けるのを低減でき、無線モジュール16の安定した動作を確保することができる。
【００５０】
なお、照明器具10は、灯体14の光軸18の向きを可変駆動する可動駆動機構を備え、リモコンによる操作によって、灯体14の光軸18の向きを調整できるように構成してもよい。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
10    照明器具
11    配線ダクト
12    プラグ部
13    電源部
14    灯体
15    アーム
16    無線モジュール
17    器具中心軸
18    光軸
82    回動規制部
【図１】
2017084597.tif 000003
【図２】
2017084597.tif 000004
【図３】
2017084597.tif 000005
【図４】
2017084597.tif 000006
【図５】
2017084597.tif 000007
【図６】
2017084597.tif 000008
【図７】
2017084597.tif 000009